(57)【特許請求の範囲】
【請求項１】
主幹開閉器およびこの主幹開閉器に電気的に接続される主幹バーの両側に長手方向に複数の分岐開閉器を併設し、この各分岐開閉器のプラグイン接続部を主幹バーにプラグイン接続し、各分岐開閉器が固定部材を介して取着された状態で主幹開閉器および各分岐開閉器の開閉操作面を開口側として収納した一面に開口を有する箱体と、主幹開閉器の開閉操作面が臨む第１の窓孔および各分岐開閉器の開閉操作面がまとめて臨む第２の窓孔を有した中蓋とを備え、分岐開閉器の非配設位置に対応する第２の窓孔の一部を窓孔塞ぎ部材で塞ぐようにした分電盤において、
前記窓孔塞ぎ部材は、分岐開閉器の開閉操作面と略同一形状の大きさで第２の窓孔の一部に箱体内から臨む突部と、この突部を第２の窓孔の一部に臨ませた状態で分岐開閉器を固定する固定部材に取着可能な固定部と、主幹バーの短手方向幅の略半分を開口側で覆う覆い片とを有し、各分岐開閉器に併設した状態で箱体に対して固定し、
前記窓孔塞ぎ部材の底面部にリブ出し部を設け、前記固定部材には前記リブ出し部が嵌入する嵌入部を設け、
前記窓孔塞ぎ部材の固定部が前記固定部材に取着されたときに、前記窓孔塞ぎ部材の本体部および前記窓孔塞ぎ部材の覆い片は、前記窓孔塞ぎ部材が前記主幹バーに接触しないように前記主幹バーから空間をもって分離するようにしたことを特徴とする分電盤。
【請求項２】
前記固定部材は主幹バー側に位置する係合部と主幹バーから離れた側に位置する係止部付き板バネとを含んで構成され、前記窓孔塞ぎ部材は前記窓孔塞ぎ部材の主幹バーから遠い方の側に各分岐開閉器の開閉操作面よりも僅かに低い中蓋当接段部の延長部として前記係止部付き板バネの係止部の略真上に達する取着操作部を有していることを特徴とする請求項１に記載の分電盤。
【発明の詳細な説明】
【０００１】
【発明の属する技術分野】
本発明は、主幹開閉器と複数の分岐開閉器を収容して主幹及び分岐のそれぞれの開閉器の開閉操作面を中蓋のそれぞれの窓孔に臨ましめた分電盤に関し、詳細には、主幹開閉器と分岐開閉器のそれぞれの開閉操作面が中蓋のそれぞれの窓孔に臨み、各分岐開閉器のうち分岐バーから外した分岐開閉器の非配設位置となる窓孔の一部を窓孔塞ぎ部材で塞ぐようにした分電盤に関するものである。
【０００２】
【従来の技術】
一般に、分電盤にあっては、箱体の内部に主幹開閉器や複数の分岐開閉器が収容され、主幹開閉器に分岐開閉器が主幹バーを介して電気的に接続され、箱体の開口面に中蓋が取着されている。この中蓋に、主幹開閉器の開閉操作面が臨む第１の窓孔と、箱体内への最大収納数となる分岐開閉器の開閉操作面がまとめて臨む第２の窓孔とが形成され、中蓋を開けずに主幹開閉器や各分岐開閉器を開閉操作することができるようにされている。
【０００３】
ところで、分岐開閉器の数は、各需要場所の回路数によって異なり、箱体内への最大収容数の分岐開閉器を収納する場合には、各分岐開閉器の開閉操作面が第２の窓孔に臨んで第２の窓孔全てを塞ぐことになる。しかし、分岐開閉器の数が最大収容数より少なくなると、分岐開閉器の非配設部分に対応する第２の窓孔の一部が塞がらないことになり見栄えが悪くなる。そこで、分岐開閉器の数が少ないときには、窓孔塞ぎ部材の突部が第２の窓孔に臨むように、図８に示すような窓孔塞ぎ部材（例えば、特開平１０−７５５０９号参照）１００で覆っている。
【０００４】
この窓孔塞ぎ部材１００は、分岐開閉器と略同一形状をなし、分岐開閉器の開閉操作面が臨んでいる第２の窓孔の一部に臨む突部１０１と、分岐開閉器を固定する固定金具の引掛爪及び弾牲引掛片間に着脱自在に固定可能な脚部１０２、１０２と、分岐開閉器が外されたときに分岐バーをそのまま主幹バーに接続している状態で隣合う分岐バーの隔離を行う（すなわち、隣合う分岐開閉器を外したときの２つの分岐バーの隔離を行う）隔離部１０３とを有している。
【０００５】
脚部（固定部）１０２、１０２は、突部１０１の長手方向面端側から垂下し、さらに互いに外方に突出する方向に形成され、固定金具の引掛爪が係止される第１の凹所１０２ａと、弾性引掛片が係止される第２の凹所ｌ０２ｂとを有している。
【０００６】
通常、メンテナンスを行うような場合には箱体から中蓋を取り外すが、このメンテナンスのとき、各分岐開閉器のプラグイン接続部のカバーが主幹バーの充電部表面を覆っているものの、窓孔寒ぎ部材の配設された部分においては主幹バーの充電部表面が露出する。そこで、図９に示すように、例えば、３段に重ねた場合、最も箱体の開口に近い最上部の主幹バー１０４に絶縁キャップ１０５を装着することもある。
【０００７】
なお、主幹開閉器と分岐開閉器とのモジュールを統一して第１の窓孔と第２の窓孔とを連続して一つの窓孔とする場合もあるが、この場合の構成は窓孔を２つ形成した場合と略同様である。
【０００８】
【発明が解決しようとする課題】
上述のような分電盤にあっては、各分岐開閉器を取着する固定金具に窓孔塞ぎ部材を取着するときの取り付け操作に大きな力が必要であった。また、分岐開閉器の欠落する位置に窓孔塞ぎ部材と絶縁キャップとの二つの部品を用いる分電盤にあっては、それだけコストが高くなり、組立に手間がかかる。さらに、主幹バーに絶縁キャップを装着するので放熱性が低下するとともに、絶縁キャップ表面を通じての耐トラッキング性という点でも好ましいとは言い難い。また、各分岐開閉器を取着する固定金具に取着した窓孔塞ぎ部材と主幹バーに装着した絶縁キャップとの間に、手の指が入り込む恐れのある隙間が生じ、この場合、最上部の主幹バーの下側にある他極の主幹バーに触れて感電するおそれが無いとは言いきれなかった。
本発明は、上記の事由に鑑みてなしたもので、分岐開閉器の欠落する箇所の見栄えや安全性の向上、全体の組立性の向上を図ることができる分電盤を提供することを目的とする。
【０００９】
【課題を解決するための手段】
上記の目的を達成するために、請求項１に係る発明の分電盤にあっては、主幹開閉器およびこの主幹開閉器に電気的に接続される主幹バーの両側に長手方向に複数の分岐開閉器を併設し、この各分岐開閉器のプラグイン接続部を主幹バーにプラグイン接続し、各分岐開閉器が固定部材を介して取着された状態で主幹開閉器および各分岐開閉器の開閉操作面を開口側として収納した一面に開口を有する箱体と、主幹開閉器の開閉操作面が臨む第１の窓孔および各分岐開閉器の開閉操作面がまとめて臨む第２の窓孔を有した中蓋とを備え、分岐開閉器の非配設位置に対応する第２の窓孔の一部を窓孔塞ぎ部材で塞ぐようにした分電盤において、前記窓孔塞ぎ部材は、分岐開閉器の開閉操作面と略同一形状大きさで第２の窓孔の一部に箱体内から臨む突部と、この突部を第２の窓孔の一部に臨ませた状態で分岐開閉器を固定する固定部材に取着可能な固定部と、主幹バーの短手方向幅の略半分を開口側で覆う覆い片とを有し、各分岐開閉器に併設した状態で箱体に対して固定したことを特徴としている。
【００１０】
これにより、窓孔塞ぎ部材自体が主幹バーの短手方向幅の略半分を開口側で覆う覆い片を有しているので、従来のように主幹バーに別体の絶縁キャップを装着する必要が無く、窓孔塞ぎ部材を固定部材に取着するだけで、中蓋を外した状態であっても箱体開口側からは充電部の主幹バー表面は覆い片で覆われ、充電部が箱体開口側に露出することが無く感電防止を図ることができる。
【００１１】
さらに、請求項１に係る発明の分電盤にあっては、前記窓孔塞ぎ部材の底面部にリブ出し部を設け、前記固定部材には前記リブ出し部が嵌入する嵌入部を設けたことを特徴としている。
【００１２】
これにより、窓孔塞ぎ部材の底面部のリブ出し部と固定部材の嵌入部とを窓孔塞ぎ部材を固定部材に取着する際の位置決めに利用できるとともに、窓孔塞ぎ部材を合成樹脂により成形する際の金型を窓孔塞ぎ部材の短手方向のみの割り型のサイドコア無しの安価な金型構成にできる。しかも、窓孔塞ぎ部材の主幹バーの長手方向への位置ずれを防止できる。
【００１３】
さらに、請求項１に係る発明の分電盤にあっては、前記窓孔塞ぎ部材の固定部が前記固定部材に取着されたときに、前記窓孔塞ぎ部材の本体部および前記窓孔塞ぎ部材の覆い片は、前記窓孔塞ぎ部材が前記主幹バーに接触しないように前記主幹バーから空間をもって分離するようにしたことを特徴としている。
【００１４】
これにより、窓孔塞ぎ部材が充電部である主幹バーに接触しないので、主幹バーの発熱による影響を受けにくく、しかも耐トラッキング性に優れ、また固定部材への窓孔塞ぎ部材の取着時に覆い片の先端が主幹バーに干渉するのを回避できる。
【００１５】
請求項２に係る発明の分電盤にあっては、前記固定部材は主幹バー側に位置する係合部と主幹バーから離れた側に位置する係止部付き板バネとを含んで構成され、前記窓孔塞ぎ部材は前記窓孔塞ぎ部材の主幹バーから遠い方の側に各分岐開閉器の開閉操作面よりも僅かに低い中蓋当接段部の延長部として前記係止部付き板バネの係止部の略真上に達する取着操作部を有していることを特徴としている。
【００１６】
これにより、窓孔塞ぎ部材の取着操作部が、係止部付き板バネの係止部の略真上位置にまで達しているので、固定部材への窓孔塞ぎ部材の取着操作力が少なくて良く、窓孔塞ぎ部材が取り付け易く、組み付け性に優れる。
【００１７】
【発明の実施の形態】
以下、本発明の一実施の形態を図１乃至図７に基づいて説明する。
図１は分電盤の正面図、図２はその中蓋を外した状態を示す正面図、図３はその分岐開閉器と窓孔塞ぎ部材を並設して固定部材に取り付けた状態を示す斜視図、図４は窓孔塞ぎ部材を斜め上方から見た斜視図、図５は窓孔塞ぎ部材を斜め底面側から見た斜視図、図６は窓孔塞ぎ部材を取着する取付部材を説明する図、図７は窓孔塞ぎ部材の取付状態を示す部分断面図である。
【００１８】
この分電盤１は、図１に示すように、一面に開口を有した箱体２と、主幹開閉器３や分岐開閉器４等の電気機器と、分岐開閉器４の非配設部分に配設された窓孔塞ぎ部材５と、電気機器の開閉操作面３ａ、４ａを外部に露出させた（外部から視認できる）状態で箱体２の開口を塞ぐ中蓋６と、この中蓋６の外側に回動自在に取着される扉（外蓋）７とから構成されている。各分岐開閉器４の露出部の近辺に需要場所表示札１９を設けている。
【００１９】
箱体２は、鉄板を折曲形成して一面に開口を有する形状に形成され、内部には、さらに図２に示すように、主幹開閉器３に送りバー８を介して電気的に接続される主幹バー９と、主幹開閉器３と分岐開閉器４をそれぞれ搭載する第１の基板（固定部材）１０と、第２の基板（固定部材）１１とが収納されている。
【００２０】
主幹開閉器３及び分岐開閉器４は、それぞれハンドル３ｂ、４ｂを突出させた開閉操作面３ａ、４ａが開口側となるよう箱体２に収納されている。主幹開閉器３は、図２において、入出力端子が箱体２の上下方向となるよう箱体２上部に配置され、固定部材１０に取着されてその開閉操作面３ａが中蓋６の第１の窓孔６ａに臨んでいる。
【００２１】
分岐開閉器４は、主幹バー９の長手方向に対して直交する方向で主幹バー９の両側、かつ箱体２下部側に複数個並設されている。そして、ハンドル４ｂを突出させた開閉操作面４ａが開口側となるよう固定部材１１に取着され、その開閉操作面４ａが中蓋６の第２の窓孔６ｂに臨んでいる。そして、分岐開閉器４のプラグイン接続部が主幹バー９にプラグイン接続され、主幹バー９を介して主幹開閉器３に電気的に接続されている。主幹バー９は、端部で主幹バー支柱２０により支持され、送りバー８部は絶縁シート２１で覆われ、送りバー８側と反対側の主幹バー９の分岐開閉器４が接続されていない露出部は、窓孔塞ぎ部材５で覆われるようになっている。
【００２２】
窓孔塞ぎ部材５は、合成樹脂等の絶縁材料により形成され、図３乃至図５に示すように、分岐開閉器４の開閉操作面４ａと略同一形状大きさで、後述する中蓋６の第２の窓孔６ｂの一部に箱体２内から臨む突部１２を本体部５ａに形成している。また、この突部１２の形成された面側の本体部５ａの長手方向に中蓋当接段部１３を形成し，この中蓋当接段部１３に続いて本体部５ａから長手方向に突出させて覆い片１４を形成している。さらに、突部１２を挟んで覆い片１４が突出した側と反対側の本体部５ａの角部に取着操作部１５を形成している。この突部１２を第２の窓孔６ｂの一部に臨ませた状態で、分岐開閉器４を固定する固定部材１１の引掛爪（係合部）１１ａ及び係止部付き板バネ１１ｂ間に着脱自在に固定可能なように、分岐開閉器４の底部に固定部１６，１６を長手方向に突出している。
【００２３】
また、窓孔塞ぎ部材５の底面の長手方向の端部には、第１リブ出し部１７ａ、第２リブ出し部１７ｂを形成し、窓孔塞ぎ部材５を固定部材１１に取着する際の位置決めができるとともに、主幹バー９の長手方向でも窓孔塞ぎ部材５の位置ずれを防止している。本実施の形態の窓孔塞ぎ部材５は、袋状の凹部を形成していないので、金型を窓孔塞ぎ部材の短手方向のみの割り型で、サイドコア無しのものとすることができ、安価な金型とすることができる。
【００２４】
窓孔塞ぎ部材５の突起部１２は、分岐開閉器４の開閉操作面４ａと略同一形状の大きさに形成され、図１に示すように、中蓋６を閉じた状態で第２の窓孔４ａから箱体２外部から視認可能となっており、分岐開閉器４を取り外したときに生じる第２の窓孔４ａの隙間（一部）を塞ぐようにされている。
【００２５】
窓孔塞ぎ部材５の中蓋当接段部１３は、突部１２に続いて長手方向に、これより低い段付きに形成され、突部１２が窓孔４ａに臨んだ際に中蓋６の裏面に位置するようにされている。
【００２６】
覆い片１４は、窓孔塞ぎ部材５の主幹バー９の側に各分岐開閉器４の開閉操作面４ａよりも僅かに低い中蓋当接段部１３の延長部として、本体部５ａから庇状に突出して形成され、主幹バー９の上方（開口側）でその短手方向幅の略半分を覆うようにされている。
【００２７】
取着操作部１５は、窓孔塞ぎ部材５の主幹バー９から遠い方の側に、分岐開閉器４の開閉操作面４ａよりも僅かに低い中蓋当接段部１３の延長部として形成されている。窓孔塞ぎ部材５を第２の固定部材１１に取着する際に、取着操作部１５は固定部材１１の係止部付き板バネ１１ｂの係止部１１ｃの略真上に達するようにされている。
【００２８】
第２の固定部材１１の窓孔塞ぎ部材５を取着する受け部は、図６および図７に示すように、主幹バー９側に位置する係合部１１ａと、主幹バー９から離れた側に位置する係止部付き板バネ１１ｂと、を含んで構成されている。係止部付き板バネ１１ｂには係止部１１ｃが形成され、窓孔塞ぎ部材５の固定部１６が係合部１１ａと係止部付き板バネ１１ｂ間に、係止部付き板バネ１１ｂのバネの付勢力に逆らって嵌められると、窓孔塞ぎ部材５は強固に取着され、簡単には取り外せないようにされている。また、固定部材１１の係合部１１ａ側には、窓孔塞ぎ部材５の底面の第１リブ出し部１７ａに対応する部分に第１リブ嵌入部１８ａが長手方向に大きめに設けられている。また、係止部付き板バネ１１ｂ側には、第２リブ出し部１７ｂに対応する部分には第２リブ嵌入部１８ｂが設けられている。
【００２９】
これにより、窓孔塞ぎ部材５の底面部のリブ出し部１７ａ、１７ｂと固定部材１１の嵌入部１８ａ、１８ｂとを、窓孔塞ぎ部材５を固定部材１１に取着する際の位置決めに利用できる。
【００３０】
中蓋６は、箱体２同様に一枚の鉄板を折曲して形成され、図１に示すように、主幹開閉器３及び分岐開閉器４の開閉操作面３ａ、４ａを外部に露出させる第１及び第２の窓孔６ａ、６ｂを有し、各開閉操作面３ａ、４ａを外部に露出させた状態で箱体２の開口を塞ぐことができるようになっている。したがって、この中蓋６を開かずに主幹開閉器３及び分岐開閉器４のハンドル３ｂ、４ｂを開閉操作することがてきる。第１の窓孔６ａは、主幹開閉器３単体の開閉操作面３ａが臨むような大きさに形成されており、主幹開閉器３が２つ以上になったときには、主幹開閉器単体毎に形成される。第２の窓孔６ｂは、図１に示すように、主幹バー９より左側の分岐開閉器４の開閉操作面４ａがまとめて臨むとともに主幹バー９より右側の分岐開閉器４の開閉操作面４ａがまとめて臨むように２つ形成されている。
【００３１】
外蓋７は、箱体２、中蓋６と同様に１枚の鉄板を折曲して形成され、図１に示すように、箱体２の一方側で回動自在に支持されるとともに箱体２の他方側で閉じた状態に係止される。
【００３２】
なお、本実施の形熊では、主幹バーの両側に分岐開閉器を複数個づつ並設しているが、主幹バーの一方側にのみ分岐開閉器を複数個並設しても良く、この場合第２の窓孔が１つになる。また、分岐開閉器は、電源側の主幹バーにのみ電気的に接続される２極型のもののみでなく、１極型のものを並設したものでも良い。また、本実施の形態では、第２の窓孔は２つ形成されているが、複数個並設された分岐開閉器ブロックが所定間隔離れているときには、２つ以上とあつても良い。さらに、主幹開閉器と分岐開閉器とのモジュールを統一して第１の窓孔と第２の窓孔とを連続して一つの窓孔としてもよく、この場合、一つの窓孔の一部が第１の窓孔に相当し、その残部が第２の窓孔に相当する。
【００３３】
【発明の効果】
請求項１記載の分電盤にあっては、窓孔塞ぎ部材自体が主幹バーの短手方向幅の略半分を開口側で覆う覆い片を有しているので、従来のように主幹バーに別体の絶縁キャップを装着する必要が無く、窓孔塞ぎ部材を固定部材に取着するだけでよく、組立が簡単で確実に手早く行え、かつコストダウンを図ることができ、また、中蓋を外した状態であっても箱体の開口側からは充電部の主幹バー表面は覆い片で覆われ、充電部が箱体開口側に露出することが無く感電防止を図ることができ、よって、分岐開閉器の欠落する箇所の見栄えや安全性の向上、全体の組立性の向上を図ることができる。
【００３４】
さらに、請求項２記載の分電盤にあっては、請求項１記載の効果に加え、窓孔塞ぎ部材の底面部のリブ出し部と固定部材の嵌入部とを窓孔塞ぎ部材を固定部材に取着する際の位置決めに利用できるとともに、窓孔塞ぎ部材を合成樹脂により成形する際の金型を窓孔塞ぎ部材の短手方向のみの割り型のサイドコア無しの安価な金型とすることができる。しかも、窓孔塞ぎ部材の前記主幹バーの長手方向への位置ずれを防止できる。
【００３５】
さらに、請求項１記載の分電盤にあっては、請求項１または２記載の効果に加え、窓孔塞ぎ部材が充電部である主幹バーに接触しないので、主幹バーの発熱による影響を受けにくく、しかも耐トラッキング性に優れ、また固定部材への窓孔塞ぎ部材の取着時に覆い片の先端が主幹バーに当接するような干渉を回避できる。
【００３６】
請求項２記載の分電盤にあっては、窓孔塞ぎ部材の取着操作部が、係止部付き板バネの係止部の略真上位置にまで達しているので、請求項１ないし３いずれかに記載の効果に加え、固定部材への窓孔塞ぎ部材の取着操作力が少なくて良く、窓孔塞ぎ部材が取り付けし易く、組み付け性に優れる。
【図面の簡単な説明】
【図１】本発明の分電盤の一実施形態を示す正面図である。
【図２】その中蓋を外した状態を示す正面図である。
【図３】その分岐開閉器と窓孔塞ぎ部材を並設して固定部に取り付けた状態を示す斜視図である。
【図４】その窓孔塞ぎ部材を示す斜め上方から見た斜視図である。
【図５】窓孔塞ぎ部材を示す斜め底面側から見た斜視図である。
【図６】窓孔塞ぎ部材を取着する取付部材を説明する図で、同図（ａ）は固定部材の取付部の平面図、同図（ｂ）は同図（ａ）のＡ−Ａ線に沿う断面図である。
【図７】窓孔塞ぎ部材の取付状態を示す断面図である。
【図８】従来例の分電盤の窓孔塞ぎ部材を示す斜視図である。
【図９】従来例の分電盤の主幹バーを絶縁キャップで絶縁する状態を示す図で、同図（ａ）は平面図、同図（ｂ）は同図（ａ）のＡ−Ａ線沿にう断面図である。
【符号の説明】
１    分電盤
２    箱体
３    主幹開閉器
４    分岐開閉器
５    窓孔塞ぎ部材
６    中蓋
６ａ  第１の窓孔
６ｂ  第２の窓孔
７    外蓋
８    送りバー
９    主幹バー
１０  第１の基板（固定部材）
１１  第２の基板（固定部材）
１１ａ  引掛爪（係合部）
１１ｂ  係止部付き板バネ
１１ｃ  係止部
１２  突部
１３  中蓋当接段部
１４  覆い片
１５  取着操作部
１６  固定部
１７ａ  第１リブ出し部
１７ｂ  第２リブ出し部
１８ａ  第１嵌入部
１８ｂ  第２嵌入部
【図１】
0003937848.tif 000002
【図２】
0003937848.tif 000003
【図３】
0003937848.tif 000004
【図４】
0003937848.tif 000005
【図５】
0003937848.tif 000006
【図６】
0003937848.tif 000007
【図７】
0003937848.tif 000008
【図８】
0003937848.tif 000009
【図９】
0003937848.tif 000010